(57)【特許請求の範囲】
【請求項１】
４方を囲繞する壁面と、これら壁面の上下端縁から突設したフラップとを備えた包装箱において、
前記壁面のうち、少なくとも１つの壁面に、連続するフラップとの境界線と平行な横方向に延びる第１破断手段を設けるとともに、該第１破断手段を設けた壁面と連続する上側フラップに、横方向に延びる第２破断手段を設け、かつ、これら破断手段の両端間にかけて縦方向に延びる第３破断手段を設け、これら第１から第３の破断手段により囲繞された内部を分離可能とし、
その分離部材に、横方向に延びる一対の折曲線を設け、これら折曲線に沿って折り曲げた分離部材を、前記壁面の破断した縁に引っ掛けて展示可能としたことを特徴とする包装箱。
【発明の詳細な説明】
【０００１】
【発明の属する技術分野】
本発明は、商品の輸送に使用するとともに、店頭で一部を破断して内部に収容した商品を露出させて展示可能とした包装箱に関するものである。
【０００２】
【従来の技術】
この種の包装箱としては、実開平７−３１６２０号公報に記載されたものが知られている。この包装箱は、４方を囲繞する４つの壁面のうち、所定の壁面、および、その壁面と連続する上側フラップに破断手段が設けられ、その壁面から上面にかけて開放させ、内部に収容した商品を露出させて展示できるようにし、販売促進効果が得られるようにしている。
【０００３】
【発明が解決しようとする課題】
しかしながら、前記包装箱は、破断手段による部分的な破断により、印刷した表面が一緒に剥がれ、外観を損なうという問題がある。この問題は、包装箱の内面に樹脂テープからなる切離帯を配設し、この切離帯によって包装箱を構成する段ボール紙を裂くように破断した場合に顕著に現れる。
【０００４】
また、包装箱の表面には、収容する商品に基づいた広告が印刷されているが、前記破断によりその表示面積が少なくなり、販売促進効果が低下するという不都合がある。
【０００５】
そこで、本発明では、包装箱の外観および販売促進効果が損なわれるのを防止できる包装箱を提供することを課題とする。
【０００６】
【課題を解決するための手段】
前記課題を解決するため、本発明の包装箱は、４方を囲繞する壁面と、これら壁面の上下端縁から突設したフラップとを備えた包装箱において、前記壁面のうち、少なくとも１つの壁面に、連続するフラップとの境界線と平行な横方向に延びる第１破断手段を設けるとともに、該第１破断手段を設けた壁面と連続する上側フラップに、横方向に延びる第２破断手段を設け、かつ、これら破断手段の両端間にかけて縦方向に延びる第３破断手段を設け、これら第１から第３の破断手段により囲繞された内部を分離可能とし、その分離部材に、横方向に延びる一対の折曲線を設け、これら折曲線に沿って折り曲げた分離部材を、前記壁面の破断した縁に引っ掛けて展示可能としている。
【０００７】
前記包装箱では、第１破断手段により壁面を破断するため、従来と同様に、その壁面の表面が一緒に剥がれるが、その縁には、破断により分離した分離部材を引っ掛けるため、その剥がれた部分を覆い隠すことができる。その結果、展示状態の外観を損なうことを防止できる。また、商品に基づいた広告の表示面積が少なくなり、販売促進効果が低下することを防止できる。
【０００８】
【発明の実施の形態】
以下、本発明の実施の形態を図面に従って説明する。
図１は、本発明の実施形態に係る包装箱を示す。この包装箱は、４方を囲繞する壁面３ａ〜３ｄの上下端縁に蓋を構成する上側フラップ５ａ〜５ｄおよび下側フラップ６ａ〜６ｄを設け、長尺な壁面３ａ，３ｃおよび該壁面３ａ，３ｃと連続する上側フラップ５ａ，５ｃに内部を露出させるための破断手段１０，１２，１４を設けたものである。
【０００９】
具体的には、この包装箱は、図２（Ａ）に示すように、表紙１ａおよび裏紙１ｂの間に波状の中しん１ｃを配設した周知の段ボール紙１によって形成されている。ここで、この段ボール紙１は、予め所定の広告を印刷した表紙１ａを用い、図示の段ボール紙１の状態に製造される。なお、本実施形態では、広告として「あいうえお」という文字を略記している。
【００１０】
図２（Ａ）に示すように製造された段ボール紙１には、図２（Ｂ）に示すように、裏紙１ｂの表面に前記中しん１ｃの延び方向と直交方向に延びる切離帯２ａ，２ｂが貼着される。この切離帯２ａ，２ｂは、段ボール紙１を中しん１ｃと直交する横方向に破断する第１および第２破断手段１０，１２を構成するもので、本実施形態では、一面に粘着剤が塗布されたＰＰ製のテープが適用されている。
【００１１】
前記包装箱は、周知の紙器打抜装置（図示せず）によって前記段ボール紙１と切離帯２ａ，２ｂとを一緒に図３に示す連続した一枚の展開状態で打ち抜き、所定部位をホットメルトなどによる糊付けで貼着して成形される。
【００１２】
展開状態の包装箱は、図３に示すように、４つの壁面３ａ〜３ｄが直線上に連続するように設けられている。この壁面３ａ〜３ｄのうち、一端の壁面３ａの端縁には糊代部４が設けられている。また、各壁面３ａ〜３ｄの上下両端縁には、上側フラップ５ａ〜５ｄおよび下側フラップ６ａ〜６ｄが突設されている。
【００１３】
前記上側フラップ５ａ〜５ｄおよび下側フラップ６ａ〜６ｄのうち、短尺な壁面３ｂ，３ｄに連続するフラップ５ｂ，５ｄ，６ｂ，６ｄは、内フラップを構成する。また、長尺な壁面３ａ，３ｃに連続するフラップ５ａ，５ｃ，６ａ，６ｃは、外フラップを構成する。
【００１４】
前記壁面３ａと糊代部４との境界部分、および、各壁面３ａ〜３ｄの境界部分には、それぞれ肉厚を圧縮して形成した折曲線７が設けられている。また、壁面３ａ，３ｃと上側フラップ５ａ，５ｃとの境界部分、および、壁面３ａ，３ｃと下側フラップ６ａ，６ｃとの境界部分には、折曲線７と同様の折曲線８が設けられている。さらに、壁面３ｂ，３ｄと上側フラップ５ｂ，５ｄとの境界部分、および、壁面３ｂ，３ｄと下側フラップ６ｂ，６ｄとの境界部分には、折曲線９が設けられている。この折曲線９は、フラップ５ａ〜５ｄ，６ａ〜６ｄを折り曲げることにより蓋をした状態で、外側に位置するフラップ５ａ，５ｃ，６ａ，６ｃが浮き上がることを防止するため、前記折曲線８より段ボール紙１の肉厚分、内側に位置させている。
【００１５】
そして、本実施形態の包装箱には、壁面３ａ，３ｃに第１破断手段１０が設けられるとともに、これら壁面３ａ，３ｃに連続する上側フラップ５ａ，５ｃに第２破断手段１２が設けられている。また、これら第１破断手段１０と第２破断手段１２の両端間にかけて第３破断手段１４が設けられている。
【００１６】
具体的には、前記第１破断手段１０は、各壁面３ａ〜３ｄの下部において、連続する上側フラップ５ａ〜５ｄとの境界線である折曲線８と平行な横方向に延びるように配設された前記切離帯２ａにより構成される。また、壁面３ａ，３ｃの両側部には、前記切離帯２ａ上に位置するように、破断始点または破断終点となる略倒Ｈ字形状の切断部１１が設けられている。
【００１７】
前記第２破断手段１２は、各上側フラップ５ａ〜５ｄの略中央を横方向に延びるように配設された前記切離帯２ｂにより構成される。また、上側フラップ５ａ，５ｃの両側には、前記第１破断手段１０と同様に、破断始点または破断終点となる略倒Ｈ字形状の切断部１３が設けられている。なお、これら切断部１３，１３の間隔は、前記切断部１１，１１の間隔より短くなるように設定している。
【００１８】
前記第３破断手段１４は、所定間隔をもって直線上に延びる切断ライン１５と、隣接する切断ライン１５，１５の間に設けた略凹字形状のガイドライン１６とからなり、図３中、上下いずれの方向からでも破断できるようにしたものである。前記ガイドライン１６は、凹状をなす底部が外向きに位置するように設けられている。この第３破断手段１４は、壁面３ａ，３ｃの領域では、第１破断手段１０の両端の切断部１１から前記折曲線８と直交する縦方向に延び、折曲線８との交点からは第２破断手段１２の両端の切断部１３に向けて傾斜して延びるように形成されている。
【００１９】
前記第１、第２および第３破断手段１０，１２，１４により囲繞された内部は、分離可能な分離部材１７となる。そして、この分離部材１７には、横方向に延びる一対の引掛用折曲線１８が設けられている。この引掛用折曲線１８は、肉厚を圧縮するようにして形成した折曲線と、該折曲線に沿って所定間隔をもってミシン目状に設けた切断部とからなるリード罫により構成されている。また、この引掛用折曲線１８は、壁面３ａ，３ｃに設けた第３破断手段１４の領域において、最も長尺となるガイドライン１６内に位置するように形成されている。
【００２０】
なお、本実施形態では、前記上側フラップ５ａ〜５ｄにおいて、内フラップを構成する上側フラップ５ｂ，５ｄは、前記分離部材１７を分離した状態で内部が露出するように切欠部１９が設けられている。
【００２１】
前記構成の包装箱は、糊代部４に酢酸ビニルエマルジョン系の接着剤などを塗布し、折曲線７に沿って壁面３ｂに対して壁面３ａを折り曲げるとともに、壁面３ｃに対して壁面３ｄを折り曲げ、該壁面３ｄの縁に糊代部４を貼着した状態で所定のメーカに納品される。
【００２２】
そして、所定の商品を製造するメーカでは、まず、下側フラップ６ａ〜６ｄにおいて、下側内フラップ６ｂ，６ｄを折曲線９に沿って折り曲げた後、下側外フラップ６ａ，６ｃを折曲線８に沿って折り曲げる。そして、これら下側外フラップ６ａ，６ｃの突き合わさった部分を粘着テープにより貼着する。または、重畳した下側内フラップ６ｂ，６ｄと、下側外フラップ６ａ，６ｃとをホットメルトなどによる糊付けで貼着する。
【００２３】
その後、包装箱の開放した上側フラップ５ａ〜５ｄの側から製造した商品を収容させた後、前記と同様に、上側内フラップ５ｂ，５ｄを折り曲げ、下側外フラップ６ａ，６ｃを折り曲げ、粘着テープまたは糊付けにより貼着する。
【００２４】
一方、前記包装箱に収容した商品を販売する販売店の店頭では、図１に示すように、包装箱を積み上げ、その最上段の包装箱の一部を開放状態として内部に収容した商品を展示する。
【００２５】
具体的には、まず、壁面３ａの第１破断手段１０において、いずれかの切断部１１を切離帯２ａとともに把持し、他側の切断部１１の側に引っ張る。同様に、上側フラップ５ａの第２破断手段１２において、いずれかの切断部１３を切離帯２ｂとともに把持し、他側の切断部１３の側に引っ張る。ここで、把持する切断部１１，１３は、左右いずれの側であってもよい。これにより、図４に示すように、壁面３ａおよび上側フラップ５ａは、切離帯２ａ，２ｂによって裂かれるように破断される。なお、この破断は、他側の切断部１１，１３に達すると停止する。
【００２６】
ついで、第１破断手段１０による破断により形成された空間部分に手を差し込み、分離部材１７の縁を把持する。そして、図中、上向きに引き上げることにより、第３破断手段１４に沿って第２破断手段１２によって破断した部位まで破断する。これにより、図５に示すように、破断手段１０，１２，１４によって囲繞された分離部材１７が分離される。
【００２７】
なお、第１から第３の破断手段１０，１２，１４の破断順番および破断方法は、作業者が希望に応じて種々の変更することができる。
【００２８】
次に、分離した分離部材１７を引掛用折曲線１８に沿って略逆Ｕ字形状をなすように折り曲げた後、図１に示すように、上側フラップ５ａと連続していた側を壁面３ａの開放部位から内部に挿入し、第１破断手段１０により破断した壁面３ａの縁に引っ掛ける。
【００２９】
このように、本発明の包装箱では、切離帯２ａを用いた第１破断手段１０により壁面３ａを破断するため、従来と同様に、壁面３ａの表面が一緒に剥がれる。しかし、その縁には、分離した分離部材１７を引っ掛ける構成としているため、その剥がれた部分を覆い隠すことができる。その結果、展示状態の外観を損なうことを防止できる。
【００３０】
また、分離部材１７には、予め商品に基づいた広告が印刷されているため、内部の商品を露出させるために一部を開放しても、その広告の表示面積が少なくなることはない。その結果、販売促進効果が低下することを防止できる。
【００３１】
さらに、前記分離部材１７の引掛状態では、一対の引掛用折曲線１８を、第３破断手段１４の間において、最も長尺となるガイドライン１６内に位置するように形成しているため、分離部材１７における引掛用折曲線１８間の両端上には、ガイドライン１６における切断ライン１５に向けて内向き突出した部分が位置する。そのため、その突出部分が引掛部材と干渉し、容易に脱落することを防止するように作用する。
【００３２】
さらにまた、本実施形態では、壁面３ａ，３ｃおよび上側フラップ５ａ，５ｃの両側を破断できるようにしているため、前記包装箱を広いスペース中に積み上げる場合には、前記と同様にして両側を開放し、内部の商品を前後の両側から露出させて展示することもできる。
【００３３】
なお、本発明の包装箱は、前記実施形態の構成に限定されるものではない。
例えば、前記実施形態では、第１および第２破断手段１０，１２を切離帯２ａ，２ｂを用いた構成としたが、第３破断手段１４と同様に、切断ライン１５とガイドライン１６とからなる構成としてもよい。
【００３４】
また、前記実施形態では、ガイドライン１６を凹状に形成し、上下の双方向から破断を可能としたが、略Ｌ字形状の切断部を直線上に所定間隔をもって設け、破断方向が決められた所謂片ジッパにより構成してもよい。
【００３５】
さらに、前記実施形態では、引掛用折曲線１８をリード罫により構成したが、肉厚を圧縮した折曲線や、ミシン目状に切断部を設けたミシン目罫により構成してもよい。
【００３６】
さらにまた、前記実施形態では、引掛用折曲線１８を壁面３ａ，３ｃの領域に位置するように形成したが、上側フラップ５ａ，５ｃの領域に位置するように形成してもよい。また、壁面３ａ，３ｃと上側フラップ５ａ，５ｃとの間の折曲線８を利用し、上下のいずれか一方にのみ、１つの引掛用折曲線１８を追加するように構成してもよい。
【００３７】
また、前記実施形態では、壁面３ａ，３ｃおよび上側フラップ５ａ，５ｃの両方に破断手段１０，１２，１４を設け、両側を開放可能としたが、いずれか一方のみ開放できるようにしてもよい。
【００３８】
【発明の効果】
以上の説明から明らかなように、本発明の包装箱では、第１破断手段により壁面を破断するため、従来と同様に、壁面の表面が一緒に剥がれる可能性があるが、その縁には、破断により分離した分離部材を引っ掛けるため、その剥がれた部分を覆い隠すことができる。その結果、展示状態の外観を損なうことを防止できる。また、商品に基づいた広告が設けられた分離部材を引っ掛けるため、広告の表示面積が少なくなり、販売促進効果が低下することを防止できる。
【図面の簡単な説明】
【図１】本発明の実施形態に係る包装箱を示す斜視図である。
【図２】包装箱を形成する段ボール紙を示し、（Ａ）は側面図、（Ｂ）は背面図である。
【図３】包装箱の展開状態を示す平面図である。
【図４】包装箱の一部を開放する一工程を示す斜視図である。
【図５】分離部材を分離した状態を示す斜視図である。
【符号の説明】
１…段ボール紙、２ａ，２ｂ…切離帯、３ａ〜３ｄ…壁面、５ａ〜５ｄ…上側フラップ、６ａ〜６ｄ…下側フラップ、１０…第１破断手段、１２…第２破断手段、１４…第３破断手段、１７…分離部材、１８…引掛用折曲線。
【図１】
0003615523.tif 000002
【図２】
0003615523.tif 000003
【図３】
0003615523.tif 000004
【図４】
0003615523.tif 000005
【図５】
0003615523.tif 000006